【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
コンピュータで実行される方法であって、
ａ）第１の製品に関連する第１の商人の第１ドキュメントを受信し、
ｂ）複数の第２の商人から複数の第２の製品に関連する情報を受信し、
ｃ）プロセッサによって、複数の第２の商人からの複数の第２の製品の各々に対して、第２の製品に関する点数を決定し、該点数は第１の商人によって特定された妨害の関数であり、該妨害の特定は、第２の商人が、第１の商人から妨害される商人として特定されたか否か、及び、第２の製品が、第１の商人から妨害される製品として特定されたか否か、のうちの少なくとも１つを含み、
ｄ）個々の点数に基づいて、複数の第２の商人から複数の第２の製品の各々に関するコンテンツを配信するか否か及び配信する方法を制御し、さらに、
ｅ）第１ドキュメントが、清算済みドキュメント及び事後清算ドキュメントの一方である、方法。
【請求項２】
コンピュータで実行される方法であって、
ａ）第１の製品に関連する第１の商人の第１ドキュメントを受信し、
ｂ）複数の第２の商人から複数の第２の製品に関連する情報を受信し、
ｃ）プロセッサによって、複数の第２の商人からの複数の第２の製品の各々に対して、第２の製品に関するする点数を決定し、該点数は第１の商人によって特定された妨害の関数であり、該妨害の特定は、（Ｅ）第２の商人が、第１の商人から妨害される商人として特定されたか否か、及び、（Ｆ）第２の製品が、第１の商人から妨害される製品として特定されたか否か、のうちの少なくとも１つを含み、
ｄ）個々の点数に基づいて、複数の第２の商人から複数の第２の製品の各々に関するコンテンツを配信するか否か及び配信する方法を制御し、
ｅ）複数の第２の商人の１つから複数の第２の製品の１つに関連するコンテンツを配信し、
ｆ）複数の第２の商人の１つに、コンテンツの配信に関する料金を請求し、さらに、
ｇ）第１の商人に、前記配信されたコンテンツに関する報酬を提供する、方法。
【請求項３】
コンピュータで実行される方法であって、
ａ）第１の製品に関連する第１の商人の第１ドキュメントを受信し、
ｂ）複数の第２の商人から複数の第２の製品に関連する情報を受信し、
ｃ）プロセッサによって、複数の第２の商人からの複数の第２の製品の各々に対して、第２の製品に関するする点数を決定し、該点数は第１の商人によって特定された妨害の関数であり、該妨害の特定は、第２の商人が、第１の商人から妨害される商人として特定されたか否か、及び、第２の製品が、第１の商人から妨害される製品として特定されたか否か、のうちの少なくとも１つを含み、
ｄ）個々の点数に基づいて、複数の第２の商人から複数の第２の製品の各々に関するコンテンツを配信するか否か及び配信する方法を制御し、
ｅ）複数の第２の商人の１つから複数の第２の製品の１つに関連するコンテンツを配信し、
ｆ）前記配信されたコンテンツと相互作用するユーザを追跡し、
ｇ）変換が、前記追跡されたユーザの相互作用に基づいて発生したか否かを決定し、
ｈ）変換が発生したことが決定されたときに、複数の第２の商人の１つに料金を請求し、さらに、
ｉ）変換が発生したことが決定されたときに、第１の商人に報酬を提供する、方法。
【請求項４】
請求項１のコンピュータで実行される方法において、前記コンテンツが製品画像を含む、方法。
【請求項５】
請求項１のコンピュータで実行される方法において、前記コンテンツが製品価格を含む、方法。
【請求項６】
請求項１のコンピュータで実行される方法において、前記コンテンツが前記第２の商人の識別子を含む、方法。
【請求項７】
ａ）１又は２以上のプロセッサ、
ｂ）少なくとも１つの入力装置、
ｃ）少なくとも１つの出力装置、
ｄ）プロセッサ実行可能命令を保存する１又は２以上の記憶装置であって、１又は２以上のプロセッサによって実行されるときに、
１）第１の製品に関連する第１の商人の第１ドキュメントを受信し、
２）複数の第２の商人から複数の第２の製品に関連する情報を受信し、
３）プロセッサによって、複数の第２の商人からの複数の第２の製品の各々に対して、第２の製品に関するする点数を決定し、該点数は第１の商人によって特定された妨害の関数であり、該妨害の特定は、第２の商人が、第１の商人から妨害される商人として特定されたか否か、及び、第２の製品が、第１の商人から妨害される製品として特定されたか否か、のうちの少なくとも１つを含み、
４）個々の点数に基づいて、複数の第２の商人から複数の第２の製品の各々に関するコンテンツを配信するか否か及び配信する方法を制御し、さらに、
第１ドキュメントが、清算済みドキュメント及び事後清算ドキュメントの一方である、装置。
【請求項８】
請求項１のコンピュータで実行される方法において、
前記各点数が、（Ａ）第１の商人が第２の商品を販売したか否か、（Ｂ）第１の商人が、在庫のある第２の製品を有しているか否か、（Ｃ）第１の商人が、第２の製品を配送することができるか否か、（Ｄ）いつ第１の商人が第２の製品を配送することができるか、のなかの少なくとも１つの関数である、コンピュータで実行される方法。
【請求項９】
請求項２のコンピュータで実行される方法において、
前記各点数が、（Ａ）第１の商人が第２の商品を販売したか否か、（Ｂ）第１の商人が、在庫のある第２の製品を有しているか否か、（Ｃ）第１の商人が、第２の製品を配送することができるか否か、（Ｄ）いつ第１の商人が第２の製品を配送することができるか、のなかの少なくとも１つの関数である、コンピュータで実行される方法。
【請求項１０】
請求項３のコンピュータで実行される方法において、
前記各点数が、（Ａ）第１の商人が第２の商品を販売したか否か、（Ｂ）第１の商人が、在庫のある第２の製品を有しているか否か、（Ｃ）第１の商人が、第２の製品を配送することができるか否か、（Ｄ）いつ第１の商人が第２の製品を配送することができるか、のなかの少なくとも１つの関数である、コンピュータで実行される方法。
【請求項１１】
請求項７の装置において、
前記各点数が、（Ａ）第１の商人が第２の商品を販売したか否か、（Ｂ）第１の商人が、在庫のある第２の製品を有しているか否か、（Ｃ）第１の商人が、第２の製品を配送することができるか否か、（Ｄ）いつ第１の商人が第２の製品を配送することができるか、のなかの少なくとも１つの関数である、装置。
【請求項１２】
請求項１の装置において、
前記妨害されるとして特定された商人は前記第１の商人と競合するものであることを特徴とする、装置。
【請求項１３】
請求項１の方法において、
前記妨害されるとして特定された製品は前記第１の製品と競合するものであることを特徴とする、方法。
【請求項１４】
請求項７の装置において、
前記妨害されるとして特定された商人は前記第１の商人と競合するものであることを特徴とする、装置。
【請求項１５】
請求項７の装置において、
前記妨害されるとして特定された製品は前記第１の製品と競合するものであることを特徴とする、装置。
【請求項１６】
請求項３の方法において、
前記妨害されるとして特定された商人は前記第１の商人と競合するものであることを特徴とする、方法。
【請求項１７】
請求項３の方法において、
前記妨害されるとして特定された製品は前記第１の製品と競合するものであることを特徴とする、方法。
【請求項１８】
請求項７の装置において、
前記妨害されるとして特定された商人は前記第１の商人と競合するものであることを特徴とする、装置。
【請求項１９】
請求項７の装置において、
前記妨害されるとして特定された製品は前記第１の製品と競合するものであることを特徴とする、装置。
【請求項２０】
コンピュータで実行される方法であって、
ａ）第１の製品に関連する第１の商人の第１ドキュメントを受信し、前記第１ドキュメントが、（Ａ）清算済みドキュメント及び（Ｂ）事後清算ドキュメントの一方であり、
ｂ）前記受信した第１ドキュメントからの情報を用いて、第１の商人とは異なる第２の商人からの第２の製品に関するコンテンツを決定し、さらに、
ｃ）前記第１のドキュメントに関連して表示するように前記決定したコンテンツをクライアント装置に配信する、方法。
【請求項２１】
請求項２０のコンピュータで実行される方法において、前記第１ドキュメントが、（Ａ）注文確認書、（Ｂ）配送確認書、（Ｃ）注文状況書及び（Ｄ）料金確認書のなかの１つである、方法。
【請求項２２】
請求項２０のコンピュータで実行される方法において、さらに、
ｄ）前記第２の商人に、前記決定したコンテンツの配信に関する料金を請求し、
ｅ）前記第１の商人に、前記決定したコンテンツの配信に関する報酬を提供する、方法。
【請求項２３】
請求項２０のコンピュータで実行される方法において、さらに、
ｄ）前記配信された、前記決定したコンテンツと相互作用するユーザを追跡し、
ｅ）前記追跡したユーザの相互作用に基づいて変換が発生したか否かを決定し、
ｆ）変換が発生したことが決定されたときに、前記第２の商人に料金を請求し、
ｇ）変換が発生したことが決定されたときに、前記第１の商人に報酬を提供する、方法。
【請求項２４】
請求項２０のコンピュータで実行される方法において、第１の商人とは異なる第２の商人からの第２の製品に関連するコンテンツを決定する行為が、
ｉ）前記第１ドキュメントから前記第１の製品についての情報を抽出し、さらに、
ｉｉ）製品サーチウエブサイトから前記第１の製品を発見するための調査を決定する、方法。
【請求項２５】
請求項２０のコンピュータで実行される方法において、第１の商人とは異なる第２の商人からの第２の製品に関連するコンテンツを決定する行為が、
ｉ）前記第１ドキュメントから前記第１の製品についての情報を抽出し、さらに、
ｉｉ）製品垂直カテゴリーから関連する製品を決定する、方法。
【請求項２６】
請求項２０のコンピュータで実行される方法において、第１の商人とは異なる第２の商人からの第２の製品に関連するコンテンツを決定する行為が、
ｉ）前記第１ドキュメントから前記第１の製品についての情報を抽出し、さらに、
ｉｉ）広告主の広告から関連する製品を決定する、方法。
【請求項２７】
請求項２０のコンピュータで実行される方法において、第１の商人とは異なる第２の商人からの第２の製品に関連するコンテンツを決定する行為が、
ｉ）複数の商人から複数の製品に関連する情報を受信し、
ｉｉ）複数の商人からの数の製品の各々に関する点数を決定し、
ｉｉｉ）前記点数に基づいて、前記複数の商人からの前記複数の製品に関連するコンテンツを配信するか否か及び配信方法を決定する、方法。
【請求項２８】
請求項２７のコンピュータで実行される方法において、前記点数の各々が、前記製品に関連するコンテンツの変換率の関数である、方法。
【請求項２９】
請求項２７のコンピュータで実行される方法において、前記点数の各々が、前記製品に関連するコンテンツに関連する変換ごとの申し出の関数である、方法。
【請求項３０】
ａ）１又は２以上のプロセッサ、
ｂ）少なくとも１つの入力装置、
ｃ）少なくとも１つの出力装置、
ｄ）プロセッサ実行可能命令を保存する１又は２以上の記憶装置であって、１又は２以上のプロセッサによって実行されるときに、
１）第１の製品に関連する第１の商人の第１ドキュメントを受信し、前記第１ドキュメントが、（Ａ）清算済みドキュメント及び（Ｂ）事後清算ドキュメントの一方であり、
２）前記受信した第１ドキュメントからの情報を用いて、第１の商人とは異なる第２の商人からの第２の製品に関するコンテンツを決定し、さらに、
３）前記第１のドキュメントに関連して表示するように、前記決定したコンテンツをクライアント装置に配信する、装置。